(57)【特許請求の範囲】
【請求項１】
無線基地局装置から無線端末装置へ向かう下りリンクにおいて、
サブフレーム内の第１OFDMシンボルのサブキャリアにPCFICHを配置する配置手段と、
無線端末装置から無線基地局装置へ向かう上りリンクのためのACK/NACK信号を周波数領域でブロック化して多重する第１の多重手段と、
周波数分割多重又は時間分割多重を用いてACK/NACK信号とPDCCHを多重する第２の多重手段と、
を備え、
前記第１の多重手段は、
UE毎の重複回数を固定せずに、かつ、UE毎にそれぞれの数のOFDMシンボルを用いて、各UEのACK/NACK信号を多重することを特徴とする無線基地局装置。
【請求項２】
前記第１の多重手段は、
一ＵＥに対し複数のOFDMシンボルを用いることを特徴とする請求項１に記載の無線基地局装置。
【請求項３】
前記第１の多重手段は、
一ＵＥに対し複数のサブキャリアを用いることを特徴とする請求項１又は請求項２の何れかに記載の無線基地局装置。
【請求項４】
前記第１の多重手段は、
ACK/NACK信号に対し同数のOFDMシンボルを用いたUEに関して、複数のUEのACK/NACK信号を、符号分割多重を更に用いて多重すること特徴とする請求項１から請求項３に記載の無線基地局装置。
【請求項５】
前記第１の多重手段は、
前記多重化した各UEのACK/NACK信号であって前記重複回数が同数の複数のUEのACK/NACK信号を、符号分割多重を更に用いて多重すること特徴とする請求項１から請求項３に記載の無線基地局装置。
【請求項６】
前記第１の多重手段は、
ACK/NACK信号に対し異なる数のOFDMシンボルを用いたUEに関して、複数のUEのACK/NACK信号を、符号分割多重を更に用いて多重すること特徴とする請求項１から請求項３に記載の無線基地局装置。
【請求項７】
前記第１の多重手段は、
前記多重化した各UEのACK/NACK信号であって前記重複回数が異なる複数のUEのACK/NACK信号を、符号分割多重を更に用いて多重すること特徴とする請求項１から請求項３に記載の無線基地局装置。
【請求項８】
前記配置手段は、
ACK/NACK信号を多重化したブロックとPDCCHを多重化したブロックとをサブフレーム内に交互に配置することを特徴とする請求項１から請求項７に記載の無線基地局装置。
【請求項９】
無線基地局装置から無線端末装置へ向かう下りリンクにおいて、
サブフレーム内の第１OFDMシンボルのサブキャリアからPCFICHを受信する第１の受信手段と、
周波数領域でブロック化して多重されている無線端末装置から無線基地局装置へ向かう上りリンクのためのACK/NACK信号を受信する第２の受信手段と、
周波数分割多重又は時間分割多重を用いて多重されているACK/NACK信号とPDCCHを受信する第３の受信手段と、
を備え、
前記ACK/NACK信号は、
前記無線端末装置において、UE毎の重複回数を固定せずに、かつ、UE毎にそれぞれの数のOFDMシンボルを用いて、各UEのACK/NACK信号を多重されたものであることを特徴とする無線端末装置。
【発明の詳細な説明】
【技術分野】
【０００１】
本発明は、Evolved UTRA(E-UTRA）方式などの無線システムの無線基地局装置及び無線端末装置に関する。
【背景技術】
【０００２】
近年、第3世代（3G）移動体通信システムのLTE(Long Term Evolution)標準規格の検討が標準化プロジェクト「3GPP：3rd Generation Partnership Project」で行われている。その検討課題の一つに、下りリンク（無線基地局から無線端末へ向かう方向の無線リンク）における、無線基地局（eNB, e-Node B）から各ユーザ（無線端末装置、ＵＥ、User Equipment terminal）に対する無線リソースの割当方法、及び、各ユーザに割り当てられた無線リソースのマッピング方法がある。3GPPでは、制御情報に関し、以下に示す決定事項（１）〜（４）がある。
（１）L1/L2制御情報は、サブフレーム内の１番目のOFDM（Orthogonal Frequency Division Multiplexing：直交周波数分割多重）シンボル（第１OFDMシンボル）から、最大で、３番目のOFDMシンボル（第３OFDMシンボル）までを利用する。
（２）PCFICH（(Physical Control Format Indicator Channel）は、サブフレーム内の第１OFDMシンボルに配置される。
（３）無線端末装置から無線基地局装置へ向かう上りリンクのためのACK/NACK信号は、第１OFDMシンボルのみ、又は、第１OFDMシンボルから第３OFDMシンボルに、配置される。
（４）PDCCH（Physical Downlink Control Channel: UL grant, DL grant）は、第１OFDMシンボルから、最大で、第３OFDMシンボルまでに配置される。
【非特許文献１】3GPP, MCC, “Draft report of 3GPP TSG RAN WG1#49b v0.1.0., Orlando, Florida, USA, June 25-27, 2007.
【非特許文献２】3GPP, R1-073199, AT&T, KDDI, NTT DoCoMo, et al., “Some operators view on ACK/NACK mapping”, June 25-27, 2007.
【発明の開示】
【発明が解決しようとする課題】
【０００３】
しかし、上述した決定事項（１）〜（４）に係る制御情報をどこに、どのように配置するのかが課題となっている。
【０００４】
本発明は、このような事情を考慮してなされたもので、その目的は、E-UTRA方式などの無線システムの下りリンクにおいて、制御情報を無線リソースに適切に配置することのできる無線基地局装置及び無線端末装置を提供することにある。
【課題を解決するための手段】
【０００５】
上記の課題を解決するために、本発明に係る無線基地局装置は、無線基地局装置から無線端末装置へ向かう下りリンクにおいて、サブフレーム内の第１OFDMシンボルのサブキャリアにPCFICHを配置する配置手段と、無線端末装置から無線基地局装置へ向かう上りリンクのためのACK/NACK信号を周波数領域でブロック化して多重する第１の多重手段と、周波数分割多重又は時間分割多重を用いてACK/NACK信号とPDCCHを多重する第２の多重手段と、を備え、前記第１の多重手段は、UE毎の重複回数を固定せずに、かつ、UE毎にそれぞれの数のOFDMシンボルを用いて、各UEのACK/NACK信号を多重することを特徴とする。
【０００６】
本発明に係る無線端末装置は、無線基地局装置から無線端末装置へ向かう下りリンクにおいて、サブフレーム内の第１OFDMシンボルのサブキャリアからPCFICHを受信する第１の受信手段と、周波数領域でブロック化して多重されている無線端末装置から無線基地局装置へ向かう上りリンクのためのACK/NACK信号を受信する第２の受信手段と、周波数分割多重又は時間分割多重を用いて多重されているACK/NACK信号とPDCCHを受信する第３の受信手段と、を備え、前記ACK/NACK信号は、前記無線端末装置において、UE毎の重複回数を固定せずに、かつ、UE毎にそれぞれの数のOFDMシンボルを用いて、各UEのACK/NACK信号を多重されたものであることを特徴とする
【発明の効果】
【０００７】
本発明によれば、E-UTRA方式などの無線システムの下りリンクにおいて、制御情報を無線リソースに適切に配置することができる。
【発明を実施するための最良の形態】
【０００８】
以下、図面を参照し、本発明の実施形態について説明する。本実施形態では、3GPPで検討されている第3世代移動体通信システムを例に挙げて説明する。
【０００９】
本実施形態に係る、無線システムの下りリンクにおいて制御情報を無線リソースに配置する方式（Ａ−１〜８）を示す。
（Ａ−１）PCFICHは、サブフレーム内の第１OFDMシンボルの先頭のサブキャリアから多重する。
（Ａ−２）無線端末装置から無線基地局装置へ向かう上りリンクのためのACK/NACK信号は、周波数領域でブロック化して多重する。PDCCHについても、周波数領域でブロック化して多重する。ACK/NACK信号とPDCCHの多重方式には、周波数分割多重（FDM）又は時間分割多重（TDM）を用いる。
（Ａ−３）ACK/NACK信号の無線リソース数（多重している無線端末（UE）の数やRepetition factorに依存）、PDCCHの無線リソース数は、TTI（Transmission Time Interval）毎に可変とする。
（Ａ−４）PDCCHの各ユーザに対するRE（Resource Element）の配置は、各ユーザがブラインド検出する。
（Ａ−５）無線端末装置から無線基地局装置へ向かう上りリンクのためのACK/NACK信号の無線リソースの配置と、PDCCHのUL grantのCCE（Control Channel Element）との関係は、１対１（図１参照）とする。図１は、本実施形態に係る上りgrantと上りのACK/NACK信号との関係の例である。
（Ａ−６）毎サブフレームで、UL grant、USCH（Uplink Shared Channel）及び無線端末装置から無線基地局装置へ向かう上りリンクのためのACK/NACK信号の配置場所の関係を予め決めておく（図２参照）。図２は、本実施形態に係るPCFICH、PDCCH及び無線端末装置から無線基地局装置へ向かう上りリンクのためのACK/NACK信号のFDM多重方法を説明する説明図である。
（Ａ−７）PCFICHは、サブフレーム内の第１OFDMシンボルの先頭のサブキャリアから配置する。
（Ａ−８）無線端末装置から無線基地局装置へ向かう上りリンクのためのACK/NACK信号は、周波数領域で複数のUEのACK/NACK信号をブロック化し、PDCCHと交互に複数のブロックを配置する。若しくは、無線端末装置から無線基地局装置へ向かう上りリンクのためのACK/NACKとPDCCHは交互に配置せずに、まとめて配置してもよい。
【００１０】
次に、本実施形態に係る、下りリンクにおけるACK/NACK信号のユーザ間の多重方式（Ｂ−１〜６）を示す。
（Ｂ−１）ユーザ間は、周波数分割多元接続（Frequency Division Multiple Access：FDMA）と符号分割多元接続（Code Division Multiple Access：CDMA）のハイブリッド多重とする。
（Ｂ−２）無線端末装置から無線基地局装置へ向かう上りリンクのためのACK/NACK信号は、周波数領域で複数のUEのACK/NACK信号をブロック化し、PDCCHと交互に複数のブロックを配置する。
（Ｂ−３）１UEのACK/NACK信号についてシンボル繰り返し（Repetition）する場合には、複数のブロックにわたりマッピングする。繰り返しシンボル数（RF: Repetition Factor）は、最小が１、最大が１６程度とする。RFの制御方法は、次の２通り（Ｂ−３−１，２）がある。
（Ｂ−３−１）UE毎にRFを変える方法
RFをUEの場所（チャネル状態）に応じて適応制御することによって、UEの受信品質を制御する。これにより、UE数、各UEのRFに応じて効率的な無線リソース（サブキャリア、シンボル）の割り当てが可能となる。RFに応じて、予め、RE配置パターンを決めておく。これは、ブラインド検出を避けるためである。
（Ｂ−３−２）全UEで共通のRFを用いる方法
UEの受信品質は、送信電力を制御することによって調整する。UEの受信品質に関わらず、最大のRFの無線リソース（サブキャリア）を確保するために、無線リソースの効率は低下する。全てのUEで共通（１つ）のRepetitionパターンを用意する。
（Ｂ−４）CDMAの場合の拡散率（SF：Spreading factor）は、最大で４とする。
（Ｂ−５）CDMAでは、異なるSFのUE間でOVSF（Orthogonal Variable Spreading Factor）を適用する。
（Ｂ−６）拡散率（Repetition factor）の設定方法としては、ブロードキャストチャネル（Dynamic BCH）を用いて各ユーザに通知する。
【実施例１】
【００１１】
図３は、本発明に係る各UE（無線端末）のACK/NACK信号をマッピングする方式の一実施例（実施例１）である。
図３において、PCFICHは、サブフレーム内の第１OFDMシンボルの先頭のサブキャリアから配置する。無線端末装置から無線基地局装置へ向かう上りリンクのためのACK/NACK信号は、周波数領域で複数のUEのACK/NACK信号をブロック化し、PDCCHと交互に複数のブロックを配置する。ACK/NACK情報を複数のREに分散的にマッピングすることもあり得る。
【実施例２】
【００１２】
図４は、本発明に係る、複数のUEのACK/NACK信号を一つのACK/NACK用のRE（Resource Element）ブロックに多重する方式の一実施例（実施例２）である。図４の例は、各UEのRF（Repetition factor）重複回数が異なる場合である。図４においては、重複回数（RF)が大きくなる場合には、時間領域のシンボルを利用する。
【実施例３】
【００１３】
図５は、本発明に係る、複数のUEのACK/NACK信号を一つのACK/NACK用のREブロックに多重する方式の他の実施例（実施例３）である。図５の例は、各UEのRF重複回数が異なる場合である。図５においては、それぞれの重複回数（RF（図５の例では２又は４））に応じてシンボルを予約（Reserve）する。
【実施例４】
【００１４】
図６は、本発明に係る、複数のUEのACK/NACK信号を一つのACK/NACK用のREブロックに多重する方式の他の実施例（実施例４）である。図６の例は、各UEのRF重複回数が固定している場合である。図６においては、１つのOFDMシンボル区間のみがL1/L2制御信号用に指定される。
【実施例５】
【００１５】
図７は、本発明に係る、複数のUEのACK/NACK信号を一つのACK/NACK用のREブロックに多重する方式の他の実施例（実施例５）である。図７の例は、各UEのRF重複回数が固定している場合である。図７においては、２つのOFDMシンボル区間のみがL1/L2制御信号用に指定される。
【実施例６】
【００１６】
図８は、本発明に係る、複数のUEのACK/NACK信号を一つのACK/NACK用のREブロックに多重する方式の他の実施例（実施例６）である。図８の例は、各UEのRF重複回数が異なり、且つ、FDMとCDMが混在している場合である。図８においては、UE毎に、１つ又は２つのOFDMシンボル区間がL1/L2制御信号用に指定される。
【実施例７】
【００１７】
図９は、本発明に係る、複数のUEのACK/NACK信号を一つのACK/NACK用のREブロックに多重する方式の他の実施例（実施例７）である。図９の例は、各UEのRF重複回数が固定であり、且つ、UEのACK/NACK間でFDMとCDMが混在している場合である。図９においては、１つのOFDMシンボル区間のみがL1/L2制御信号用に指定される。
【実施例８】
【００１８】
図１０は、本発明に係る、複数のUEのACK/NACK信号を一つのACK/NACK用のREブロックに多重する方式の他の実施例（実施例８）である。図１０の例は、各UEのRF重複回数が異なり、且つ、FDMとCDMが混在している場合においてOVSFを適用するときである。図１０においては、異なるSF（Spreading factor）値が存在する場合にOVSFを利用し、CDM多重する。また、UE毎に、１つ又は２つのOFDMシンボル区間がL1/L2制御信号用に指定される。
【００１９】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００２０】
【図１】本発明の一実施形態に係る上りgrantと上りのACK/NACK信号との関係の例である。
【図２】本発明の一実施形態に係るPCFICH、PDCCH及びACK/NACK signals for UL（無線端末装置から無線基地局装置へ向かう上りリンクのためのACK/NACK）のFDM多重方法を説明する説明図である。
【図３】本発明に係る各UEのACK/NACK信号をマッピングする方式の一実施例（実施例１）である。
【図４】本発明に係る、複数のUEのACK/NACK信号を一つのACK/NACK用のREブロックに多重する方式の一実施例（実施例２）である。
【図５】本発明に係る、複数のUEのACK/NACK信号を一つのACK/NACK用のREブロックに多重する方式の他の実施例（実施例３）である。
【図６】本発明に係る、複数のUEのACK/NACK信号を一つのACK/NACK用のREブロックに多重する方式の他の実施例（実施例４）である。
【図７】本発明に係る、複数のUEのACK/NACK信号を一つのACK/NACK用のREブロックに多重する方式の他の実施例（実施例５）である。
【図８】本発明に係る、複数のUEのACK/NACK信号を一つのACK/NACK用のREブロックに多重する方式の他の実施例（実施例６）である。
【図９】本発明に係る、複数のUEのACK/NACK信号を一つのACK/NACK用のREブロックに多重する方式の他の実施例（実施例７）である。
【図１０】本発明に係る、複数のUEのACK/NACK信号を一つのACK/NACK用のREブロックに多重する方式の他の実施例（実施例８）である。
【符号の説明】
【００２１】
ＵＥ…無線端末
【図１】
0004689646.tif 000002
【図２】
0004689646.tif 000003
【図３】
0004689646.tif 000004
【図４】
0004689646.tif 000005
【図５】
0004689646.tif 000006
【図６】
0004689646.tif 000007
【図７】
0004689646.tif 000008
【図８】
0004689646.tif 000009
【図９】
0004689646.tif 000010
【図１０】
0004689646.tif 000011